(57)【特許請求の範囲】
【請求項１】
中心導体と、この中心導体を被覆した絶縁体と、この絶縁体の外側を覆う外部導体と、この外部導体を被覆した外被とが同軸構造となされ、前記外部導体に漏洩電磁界形成用の複数のスロット部がスロット列をなして形成された漏洩同軸ケーブルであって、
前記外被は、漏洩同軸ケーブルの中心軸回りの９０°以内の角度範囲であって前記スロット列の位置を含む漏洩同軸ケーブルの長さ方向に沿った領域のみが、可視光線、または、Ｘ線に対して、透明、または、半透明の樹脂材料により形成されており、スロット部とスロット部との間の外部導体の表面、または、裏面に、スロット部の位置を示す数字、または、記号が印刷されている
ことを特徴とする漏洩同軸ケーブル。
【請求項２】
中心導体と、この中心導体を被覆した絶縁体と、この絶縁体の外側を覆う外部導体と、この外部導体を被覆した外被とが同軸構造となされ、前記外部導体に漏洩電磁界形成用の複数のスロット部がスロット列をなして形成された漏洩同軸ケーブルであって、
前記外被は、漏洩同軸ケーブルの中心軸回りの９０°以内の角度範囲であって前記スロット列の位置を含む漏洩同軸ケーブルの長さ方向に沿った領域のみが、可視光線、または、Ｘ線に対して、透明、または、半透明の樹脂材料により形成されており、スロット部とスロット部との間の外部導体に、スロット部の位置を示す長孔が形成され、この長孔は、長手方向を漏洩同軸ケーブルの長さ方向とし、長さが使用波長の数１０分の１以下である
ことを特徴とする漏洩同軸ケーブル。
【発明の詳細な説明】
【技術分野】
【０００１】
本発明は、外部導体上に電磁波送受信用の開孔（スロット部）を有する漏洩同軸ケーブルに関し、特に、コネクタを開孔（スロット部）を避けて取付けることが容易な漏洩同軸ケーブルに関するものである。
【背景技術】
【０００２】
漏洩同軸ケーブル（以下、「ＬＣＸ」という。）は、新幹線沿いに布設されて列車と地上との無線連絡のために使用されたり、あるいは、地下鉄構内や地下街に布設されて地上との消防無線や警察無線の連絡用に使用されている。
【０００３】
図６は、前記ＬＣＸの一部破断斜視図である。すなわち、ＬＣＸ１は、図６に示すように、内部導体１０２、絶縁体１０３、外部導体１０４及び外被（シース）１０５を備えて同軸状に構成されている。外部導体１０４には、同導体１０４内の電磁エネルギーを外部に漏洩させるために、周期的なスロット部１０１が設けられている。すなわち、外部導体１０４には、ケーブル軸に対して一定周期毎に、一周期当たり複数の長孔状のスロット部１０１が設けられている。各スロット部１０１は、ケーブル軸に対して所定の角度を持って傾斜されている。
【０００４】
ＬＣＸ１は、外部導体１０４にスロット部１０１をケーブル長手方向に連続的に設けることにより、これらスロット部１０１から電波を漏洩させ、長手方向に連続的に放射される電波の重ね合わせを利用して、外部との通信を行なっている。
【０００５】
このようなＬＣＸ１の端末部分同士の接続、または、ＬＣＸ１と外部機器との接続には、特許文献１に記載されているように、同軸ケーブル用のコネクタが使用される。このコネクタは、外部導体１０４を外方側から金属部材によって締め付けることによって、ＬＣＸ１の端末部分に取付けられる。このコネクタをＬＣＸ１に取付けるときには、スロット部１０１の位置を避けて取付ける必要がある。
【先行技術文献】
【特許文献】
【０００６】
【特許文献１】特開２０１０−２７２３９１号公報
【特許文献２】特許第３９４８６７０号公報
【発明の概要】
【発明が解決しようとする課題】
【０００７】
前述のようなＬＣＸ１において、外被１０５は、黒色のポリエチレン（以下、ＰＥという。）や黒色のポリ塩化ビニル（以下、ＰＶＣという。）などからなるので、スロット部１０１の位置を外側から確認することはできない。
【０００８】
そのため、ＬＣＸ１の端末部分にコネクタを取付けるには、まず、ＬＣＸ１の端末部分の長さ数十ｍｍ程度の部分を切断して切断部を解体し、外部導体１０４を観察して、スロット部１０１の位置を確認する。そして、スロット部１０１が存在しない場合には、さらに数十１０ｍｍ程度の端末部分を切断して解体し、スロット部の位置を探す。それでもスロット部１０１が見つからない場合には、何回も同じ作業を繰返す必要があるので、コネクタ取付作業には長時間を要し、作業コストの上昇を招いている。
【０００９】
スロット部１０１の間隔は、伝送する電磁波の波長の概略半分である。すなわち、伝送する電磁波の周波数（使用周波数）が２．４ＧＨｚである場合には、以下の式（１）より、スロット部１０１の間隔は、４１ｍｍ程度である。
【００１０】
半波長＝Ｃ０／（２・ｆ・√εｒ）≒４１ｍｍ    式（１）
（ただし、Ｃ０は真空中の光速３．００×１０８（ｍ／ｓ）、ｆは使用周波数２．４ＧＨｚ、εｒは絶縁体１０３（ポリエチレン）の比誘電率２．３である）。
【００１１】
また、地上デジタルテレビ放送の再送信用のＬＣＸでは、使用周波数が６００ＭＨｚ程度なので、スロット部１０１の間隔は、１６５ｍｍ程度と広くなる。すなわち、使用周波数が低いＬＣＸでは、スロット部１０１の位置を確認することがより困難となり、コネクタの取付作業には、さらに手間がかかる。
【００１２】
スロット部１０１の位置を避けてコネクタを取付けることが容易となるＬＣＸとして、特許文献２に記載されているように、外被１０５を透明、または、半透明の樹脂材料により形成し、外部からスロット部１０１の位置を目視で確認できるようにしたものが提案されている。このＬＣＸにおいては、コネクタを取付ける前に、外被１０５の外側から、目視によりスロット部１０１の位置を確認し、スロット部１０１を避けた位置でＬＣＸを切断し、その端末部分にコネクタを取り付けることができる。
【００１３】
しかし、透明性の高いポリエチレンなどの樹脂材料は、紫外線による劣化を生ずるので、このＬＣＸは、使用場所が直射日光の当たらない屋内や天井裏に限定される。このＬＣＸを直射日光の当たる場所で使用する場合には、外被１０５をなす樹脂材料に、紫外線劣化防止剤を添加する必要がある。
【００１４】
そこで、本発明は、前述の実情に鑑みて提案されるものであり、その目的は、外被の外側からのスロット部の位置の確認が可能で、コネクタの取付作業が容易であり、かつ、紫外線による外被の劣化のないＬＣＸを提供することにある。
【課題を解決するための手段】
【００１５】
前述の課題を解決し、前記目的を達成するため、本発明に係るＬＣＸは、以下の構成のいずれか一を有するものである。
【００１６】
〔構成１〕
中心導体と中心導体を被覆した絶縁体と絶縁体の外側を覆う外部導体と外部導体を被覆した外被とが同軸構造となされ外部導体に漏洩電磁界形成用の複数のスロット部がスロット列をなして形成された漏洩同軸ケーブルであって、外被は、漏洩同軸ケーブルの中心軸回りの９０°以内の角度範囲であってスロット列の位置を含む漏洩同軸ケーブルの長さ方向に沿った領域のみが、可視光線、または、Ｘ線に対して、透明、または、半透明の樹脂材料により形成されていることを特徴とするものである。
【００１７】
〔構成２〕
スロット部とスロット部との間の外部導体の表面、または、裏面に、スロット部の位置を示す数字、または、記号が印刷されていることを特徴とするものである。
【００１８】
〔構成３〕
スロット部とスロット部との間の外部導体に、スロット部の位置を示す長孔が形成され、この長孔は、長手方向を漏洩同軸ケーブルの長さ方向とし、長さが使用波長の数１０分の１以下であることを特徴とするものである。
【発明の効果】
【００１９】
構成１を有する本発明に係るＬＣＸにおいては、外被は、漏洩同軸ケーブルの中心軸回りの９０°以内の角度範囲であってスロット列の位置を含む漏洩同軸ケーブルの長さ方向に沿った領域のみが、可視光線、または、Ｘ線に対して、透明、または、半透明の樹脂材料により形成されているので、目視、または、Ｘ線カメラにより、外被の外側からのスロット部の位置向の確認が容易であり、コネクタの取付作業が容易である。また、外被は、透明、または、半透明の樹脂材料により形成された領域以外の領域は、耐環境性に優れた黒色のＰＥや黒色のＰＶＣにより形成することができるので、対紫外線等の耐環境特性に優れたものとして構成できる。
【００２０】
構成２を有する本発明に係るＬＣＸにおいては、スロット部とスロット部との間の外部導体の表面、または、裏面に、スロット部の位置を示す数字、または、記号が印刷されているので、スロット部の位置が簡単、かつ、明確にわかるので、コネクタ取付位置を短時間で正確に決めることができ、コネクタの取付作業が容易である。
【００２１】
構成３を有する本発明に係るＬＣＸにおいては、スロット部とスロット部との間の外部導体に、スロット部の位置を示す長孔が形成され、この長孔は、長手方向を漏洩同軸ケーブルの長さ方向とし、長さが使用波長の数１０分の１以下であるので、スロット部の位置が簡単、かつ、明確にわかるので、コネクタ取付位置を短時間で正確に決めることができ、コネクタの取付作業が容易である。
【００２２】
すなわち、本発明は、外被の外側からのスロット部の位置の確認が可能で、コネクタの取付作業が容易であり、かつ、紫外線による外被の劣化のないＬＣＸを提供することができるものである。
【図面の簡単な説明】
【００２３】
【図１】本発明の第１の実施形態に係るＬＣＸの構成を示す一部破断斜視図である。
【図２】本発明の第１の実施形態に係るＬＣＸの構成を示す側面図及び横断面図である。
【図３】本発明の第２の実施形態に係るＬＣＸの構成を示す側面図である。
【図４】本発明の第３の実施形態に係るＬＣＸの構成を示す側面図である。
【図５】本発明の第４の実施形態に係るＬＣＸの構成を示す側面図である。
【図６】従来のＬＣＸの構成を示す一部破断斜視図である。
【発明を実施するための形態】
【００２４】
以下、本発明を実施するための形態について図面を参照して説明する。
【００２５】
〔第１の実施形態〕
図１は、本発明の第１の実施形態に係るＬＣＸの構成を示す一部破断斜視図である。
【００２６】
本発明に係るＬＣＸ１は、図１に示すように、中心導体２と、この中心導体２を被覆した絶縁体３と、この絶縁体３の外側を覆う外部導体４とが同軸構造となされ、外部導体４が外被（シース）５により被覆されて構成されている。
【００２７】
外部導体４には、導体内部の電磁エネルギーを外部に漏洩させるために、複数の長孔状のスロット部６が設けられている。これらスロット部６は、ケーブル軸円周方向の一定の位置（すなわち一定の角位置）において、ケーブル軸に沿う列（スロット列）をなして形成されている。各スロット部６は、ケーブル軸に対して所定傾斜角を持って傾斜している。各スロット部６は、ケーブル軸に対して周期的に設けられ、各周期には、例えば前記傾斜角が相互に異なる複数のスロット部６が設けられている。
【００２８】
外部導体４の表面において、スロット部６が列（スロット列）をなして形成された面をスロット面と言い、ＬＣＸは、スロット面の法線方向がＬＣＸ全長で、一定方向を向くように延線することが望ましい。
【００２９】
図２は、本発明の第１の実施形態に係るＬＣＸの構成を示す側面図及び横断面図である。
【００３０】
この実施形態のＬＣＸ１においては、図１及び図２中の（ａ）（ｂ）に示すように、外被５は、ＬＣＸ１の中心軸回りの９０°以内の角度範囲であってスロット列の位置を含む確認領域７のみが、可視光線、または、Ｘ線に対して、透明、または、半透明の樹脂材料により形成されている。この確認領域７は、ＬＣＸ１の長さ方向に沿って形成されている。すなわち、外被５のうちスロット部６直上となる領域は、透明、または、半透明の樹脂材料により形成され、確認領域７となっている。確認領域７は、スロット列の中心に対して、ＬＣＸ１の中心軸回りの±４５°以内の角度範囲とすることが好ましい。
【００３１】
確認領域７は、外被５の一部を、透明、または、半透明の樹脂材料により押出し成形等によって形成することによって設けることができる。確認領域７をなす透明、または、半透明の樹脂材料は、ＰＥ、または、ＰＶＣなどであって、着色材や紫外線劣化防止剤などを含まないか、または、極微量の紫外線劣化防止剤を含むものである。外被５のうち確認領域７以外の領域は、黒色のＰＥ、または、黒色のＰＶＣで形成することが好ましい。
【００３２】
このＬＣＸ１においては、外被５の外側から、確認領域７を透して、スロット部６の位置を確認することができる。そのため、このＬＣＸ１においては、正確にスロット部６を避けてコネクタを取付けることが容易であり、コネクタ取付作業を短時間で完了することが可能である。このＬＣＸ１において、確認領域７は外被５の一部分をなすだけであるので、紫外線が照射する屋外で使用することも可能である。
【００３３】
また、このＬＣＸ１においては、確認領域７と、外被５の確認領域７以外の領域との外観上のコントラストが強く、０．５ｍ〜数ｍ離れても、確認領域７の位置、すなわち、スロット列の位置を容易に判別することができる。
【００３４】
ＬＣＸの送受信特性は、スロット面の法線方向に指向性が強く、電磁波の送受信を行いたい方向にスロット面を向ける必要がある。ＬＣＸを布設する際には、確認領域７の位置を確認することにより、スロット面を目的とする方向としながら布設することによって、ＬＣＸからの電磁波の送受信を効率良く行うことができる。
【００３５】
なお、外被５の全体を透明、または、半透明の材料により構成すると、ＬＣＸから数十ｃｍ離れた位置からは、外被５の表面での反射によりスロット部６の確認は難しいので、スロット面を所定の方向に向けて布設することは困難となる。
【００３６】
〔第２の実施形態〕
図３は、本発明の第２の実施形態に係るＬＣＸの構成を示す側面図である。
【００３７】
この実施形態においては、図３中の（ａ）に示すように、スロット部６とスロット部６との間の外部導体４の表面、または、裏面に、スロット部６の位置を示す数字９が印字されている。
【００３８】
数字９は、等間隔の位置に印字することが好ましい。この数字９の番号と間隔とは、予め決定しておき、既知のものとしておく。すると、確認領域７を透して、または、外被５の一部を解体して、外部導体４上に印字された数字９を確認することにより、スロット部６の位置を容易、かつ、正確に把握することができる。
【００３９】
なお、確認領域７を設けない場合であっても、外被５の一部を解体すれば、外部導体４上に印字された数字９を確認することができる。
【００４０】
また、図３中の（ｂ）に示すように、数字９に代えて、１個から複数の記号（黒丸）１１を印字してもよい。
【００４１】
〔第３の実施形態〕
図４は、本発明の第３の実施形態に係るＬＣＸの構成を示す側面図である。
【００４２】
この実施形態においては、図４に示すように、スロット部６とスロット部６との間の外部導体４に、スロット部６の位置を示す長孔１３が形成されている。
【００４３】
この長孔１３は、長手方向をＬＣＸ１の長さ方向とし、長さが使用波長の数１０分の１以下となっている。この長孔１３は、等間隔の位置に形成することが好ましい。この長孔１３の数は、一のスロット部６から次のスロット部６に向かって、順次、ＬＣＸ１の周方向に増えてゆくようになっている。すなわち、一のスロット部６から所定の距離の箇所に、１個の長孔１３ａが形成され、この長孔１３ａから所定の距離の箇所に、２個の長孔１３ｂ，１３ｂがＬＣＸ１の周方向に配列されて形成され、これら長孔１３ｂ，１３ｂから所定の距離の箇所に、３個の長孔１３ｃ，１３ｃ，１３ｃがＬＣＸ１の周方向に配列されて形成され、以下、順次長孔の数が増えてゆき、次のスロット部６に至るようになっている。
【００４４】
長孔１３の数と間隔とは、予め決定しておき、既知のものとしておく。すると、確認領域７を透して、または、外被５の一部を解体して、外部導体４に形成された長孔１３を確認することにより、スロット部６の位置を容易、かつ、正確に把握することができる。
【００４５】
なお、確認領域７を設けない場合であっても、外被５の一部を解体すれば、外部導体４に形成された長孔１３を確認することができる。
【００４６】
ＬＣＸ１において、外部導体４の表面には、ＬＣＸ１の長さ方向に電流が流れる。長孔１３は、長手方向をＬＣＸ１の長さ方向としているので、ＬＣＸ１内部の電磁界を乱さない。また、長孔１３は、長さが使用波長の数１０分の１以下となっているので、不要放射が十分に抑制され、外部ヘの放射電磁波が発生することもない。
【００４７】
〔第４の実施形態〕
図５は、本発明の第４の実施形態に係るＬＣＸの構成を示す側面図である。
【００４８】
このＬＣＸ１において、確認領域７は、可視光を透過させない材料によって形成してもよいが、Ｘ線は透過させる材料、例えば、ＰＥやＰＶＣなどの合成樹脂材料により形成されている。
【００４９】
この場合、ＬＣＸ１の端末部にコネクタを取付けるときには、Ｘ線を用いてスロット部６の位置を確認することにより、スロット部６がない位置を迅速に特定して、この位置ででＬＣＸ１を切断して、コネクタを取付けることができる。
【００５０】
すなわち、図５に示すように、Ｘ線源２０１からＸ線を放射してＬＣＸ１を透過させ、この透過Ｘ線をＸ線カメラ２０３により撮像して、透視画像を得る。Ｘ線カメラ２０３からの出力信号を、制御装置２０５を介して、表示装置２０７により表示する。この表示画像において、スロット部６は、このスロット部６の周囲の金属からなる外部導体４よりも明るく映し出されるので、スロット部６の位置を迅速、かつ、正確に判別することができる。
【００５１】
このようにしてスロット部６の位置を求めておき、外被５の外表面にスロット部６の位置を示すマーキングをしておく。そして、このマーキングを基準にして、スロット部６がない位置にコネクタ取付け位置を決定し、このコネクタ取付け位置においてＬＣＸ１を切断して、コネクタを取り付けることができる。
【産業上の利用可能性】
【００５２】
本発明は、外部導体上に電磁波送受信用の開孔（スロット部）を有する漏洩同軸ケーブルに適用され、特に、コネクタを開孔（スロット部）を避けて取付けることが容易な漏洩同軸ケーブルに適用される。
【符号の説明】
【００５３】
１    ＬＣＸ
２    中心導体
３    絶縁体
４    外部導体
５    外被（シース）
６    スロット部
７    確認領域
【図１】
0005684673.tif 000002
【図２】
0005684673.tif 000003
【図３】
0005684673.tif 000004
【図４】
0005684673.tif 000005
【図５】
0005684673.tif 000006
【図６】
0005684673.tif 000007